【手続補正書】
【提出日】平成18年6月6日(2006.6.6)
【手続補正１】
【補正対象書類名】明細書
【補正対象項目名】特許請求の範囲
【補正方法】変更
【補正の内容】
【特許請求の範囲】
【請求項１】  画像データを記録する画像記録装置であって、動画データを記録する記録媒体と、動画の記録中に撮影された静止画データを一時的に記憶する記憶手段とを有し、該記憶手段に記憶された静止画データを動画記録終了後に前記記録媒体に記録し、前記記憶手段に前記静止画データが記憶されており、かつ動画記録中に前記画像記録装置本体の電源をオフする指示があった場合には、前記静止画データを前記記録媒体に記録してから前記電源をオフする動作に入ることを特徴とする画像記録装置。
【請求項２】  画像データを記録する画像記録装置であって、動画データを記録する記録媒体と、動画の記録中に撮影された静止画データを一時的に記憶する記憶手段とを有し、該記憶手段に記憶された静止画データを動画記録終了後に前記記録媒体に記録し、前記記憶手段に前記静止画データが記憶されており、かつ動画記録中に前記画像記録装置本体の電源をオフする指示があった場合には、前記静止画データを消去するかあるいは前記記録媒体に記録するかを選択可能とすることを特徴とする画像記録装置。
【請求項３】  画像を表示するモニター用ディスプレイを有し、前記記憶手段に静止画データが記憶されているときに、前記画像記録装置本体の電源をオフする指示があった場合に、前記静止画データを前記モニター用ディスプレイに表示することを特徴とする請求項２記載の画像記録装置。
【請求項４】  画像データを記録する画像記録装置であって、動画データを記録する記録媒体と、動画の記録中に撮影された静止画データを一時的に記憶する記憶手段とを有し、該記憶手段に記憶された静止画データを動画記録終了後に前記記録媒体に記録し、前記記憶手段に前記静止画データが記憶されており、かつ動画記録中にバッテリーの残量が所定量以下になった場合には、前記静止画データを前記記録媒体に記録してから前記バッテリーによる記録系への電源供給をオフする動作に入ることを特徴とする画像記録装置。
【請求項５】  画像データを記録する画像記録装置の制御方法であって、動画データを記録媒体に記録するステップと、動画の記録中に撮影された静止画データを一時的に記憶手段に記憶するステップと、該記憶手段に記憶された静止画データを動画記録終了後に前記記録媒体に記録するステップとを有し、前記記憶手段に前記静止画データが記憶されており、かつ動画記録中に前記画像記録装置本体の電源をオフする指示があった場合には、前記静止画データを前記記録媒体に記録してから前記電源をオフする動作に入るステップを備えることを特徴とする画像記録装置の制御方法。
【請求項６】  画像データを記録する画像記録装置の制御方法であって、動画データを記録媒体に記録するステップと、動画の記録中に撮影された静止画データを一時的に記憶手段に記憶するステップと、該記憶手段に記憶された静止画データを動画記録終了後に前記記録媒体に記録するステップとを有し、前記記憶手段に前記静止画データが記憶されており、かつ動画記録中に前記画像記録装置本体の電源をオフする指示があった場合には、前記静止画データを消去するかあるいは前記記録媒体に記録するかを選択するステップを備えることを特徴とする画像記録装置の制御方法。
【請求項７】  画像データを記録する画像記録装置の制御方法であって、動画データを記録媒体に記録するステップと、動画の記録中に撮影された静止画データを一時的に記憶手段に記憶するステップと、該記憶手段に記憶された静止画データを動画記録終了後に前記記録媒体に記録するステップとを有し、前記記憶手段に前記静止画データが記憶されており、かつ動画記録中にバッテリーの残量が所定量以下になった場合には、前記静止画データを前記記録媒体に記録してから前記バッテリーによる記録系への電源供給をオフする動作に入るステップを備えることを特徴とする画像記録装置の制御方法。
【請求項８】  請求項５乃至７のいずれかに記載の画像記録装置の制御方法をコンピュータに実行させるプログラムを記憶したことを特徴とするコンピュータ読み取り可能な記憶媒体。
【手続補正２】
【補正対象書類名】明細書
【補正対象項目名】０００３
【補正方法】変更
【補正の内容】
【０００３】
上記画像記録装置では、静止画用シャッターを押すと一枚づつ静止画を画像メモリに取り込み、磁気テープに記録するようにしている。近年画像メモリの容量が増え、しかも安価になってきていることから複数枚の静止画を溜め込むことも容易になってきている。例えば動画を記録しながら静止画として残しておきたい場面はシャッターを押して何枚かメモリに記憶しておき、動画記録終了後に１枚の静止画当たり例えば５フレームづつ記録するといった機能を備えた画像記録装置も考えられる。
【手続補正３】
【補正対象書類名】明細書
【補正対象項目名】０００７
【補正方法】変更
【補正の内容】
【０００７】
【課題を解決するための手段】
前記課題を解決するために、本発明の画像記録装置及びその制御方法並びに記憶媒体は次のように構成したものである。
【手続補正４】
【補正対象書類名】明細書
【補正対象項目名】０００８
【補正方法】変更
【補正の内容】
【０００８】
（１）画像データを記録する画像記録装置であって、動画データを記録する記録媒体と、動画の記録中に撮影された静止画データを一時的に記憶する記憶手段とを有し、該記憶手段に記憶された静止画データを動画記録終了後に前記記録媒体に記録し、前記記憶手段に前記静止画データが記憶されており、かつ動画記録中に前記画像記録装置本体の電源をオフする指示があった場合には、前記静止画データを前記記録媒体に記録してから前記電源をオフする動作に入ることを特徴とする画像記録装置。
（２）画像データを記録する画像記録装置であって、動画データを記録する記録媒体と、動画の記録中に撮影された静止画データを一時的に記憶する記憶手段とを有し、該記憶手段に記憶された静止画データを動画記録終了後に前記記録媒体に記録し、前記記憶手段に前記静止画データが記憶されており、かつ動画記録中に前記画像記録装置本体の電源をオフする指示があった場合には、前記静止画データを消去するかあるいは前記記録媒体に記録するかを選択可能とすることを特徴とする画像記録装置。
（３）画像を表示するモニター用ディスプレイを有し、前記記憶手段に静止画データが記憶されているときに、前記画像記録装置本体の電源をオフする指示があった場合に、前記静止画データを前記モニター用ディスプレイに表示することを特徴とする前記（２）記載の画像記録装置。
（４）画像データを記録する画像記録装置であって、動画データを記録する記録媒体と、動画の記録中に撮影された静止画データを一時的に記憶する記憶手段とを有し、該記憶手段に記憶された静止画データを動画記録終了後に前記記録媒体に記録し、前記記憶手段に前記静止画データが記憶されており、かつ動画記録中にバッテリーの残量が所定量以下になった場合には、前記静止画データを前記記録媒体に記録してから前記バッテリーによる記録系への電源供給をオフする動作に入ることを特徴とする画像記録装置。
（５）画像データを記録する画像記録装置の制御方法であって、動画データを記録媒体に記録するステップと、動画の記録中に撮影された静止画データを一時的に記憶手段に記憶するステップと、該記憶手段に記憶された静止画データを動画記録終了後に前記記録媒体に記録するステップとを有し、前記記憶手段に前記静止画データが記憶されており、かつ動画記録中に前記画像記録装置本体の電源をオフする指示があった場合には、前記静止画データを前記記録媒体に記録してから前記電源をオフする動作に入るステップを備えることを特徴とする画像記録装置の制御方法。
（６）画像データを記録する画像記録装置の制御方法であって、動画データを記録媒体に記録するステップと、動画の記録中に撮影された静止画データを一時的に記憶手段に記憶するステップと、該記憶手段に記憶された静止画データを動画記録終了後に前記記録媒体に記録するステップとを有し、前記記憶手段に前記静止画データが記憶されており、かつ動画記録中に前記画像記録装置本体の電源をオフする指示があった場合には、前記静止画データを消去するかあるいは前記記録媒体に記録するかを選択するステップを備えることを特徴とする画像記録装置の制御方法。
（７）画像データを記録する画像記録装置の制御方法であって、動画データを記録媒体に記録するステップと、動画の記録中に撮影された静止画データを一時的に記憶手段に記憶するステップと、該記憶手段に記憶された静止画データを動画記録終了後に前記記録媒体に記録するステップとを有し、前記記憶手段に前記静止画データが記憶されており、かつ動画記録中にバッテリーの残量が所定量以下になった場合には、前記静止画データを前記記録媒体に記録してから前記バッテリーによる記録系への電源供給をオフする動作に入るステップを備えることを特徴とする画像記録装置の制御方法。
（８）前記（５）乃至（７）のいずれかに記載の画像記録装置の制御方法をコンピュータに実行させるプログラムを記憶したことを特徴とするコンピュータ読み取り可能な記憶媒体。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２５
【補正方法】変更
【補正の内容】
【００２５】
図１において、１はレンズ群、２はＣＣＤ撮像素子、３はＣＣＤ撮像素子２からの信号を処理するカメラ信号処理回路であり、これらによりカメラ部が構成されている。４は動画あるいは静止画の記録フォーマットになるようデータを圧縮したり、圧縮されたデータを伸長して元の画像を作り出す画像圧縮伸長回路、５は圧縮データを記録媒体に記録したり再生したりする記録再生処理回路、６は磁気ヘッドを備えた回転ドラム、７は記録媒体としての磁気テープ、８は一時的に静止画データを記憶しておく記憶手段としての静止画メモリであり、これらによりレコーダ部が構成されている。
【手続補正２１】
【補正対象書類名】明細書
【補正対象項目名】００２６
【補正方法】変更
【補正の内容】
【００２６】
９は撮影時あるいは記録された動画や静止画をモニターするディスプレイ、１０はディスプレイ９に表示する画像を切り替えるモニタースイッチ、１１はカメラ一体型ＶＴＲ全体の電源をＯＮ、ＯＦＦする電源スイッチ、１２は動画あるいは静止画の記録やその他の再生操作を行う操作スイッチ、１３は静止画を記録するかどうかを選択する静止画記録選択スイッチ、１４はカメラ一体型ＶＴＲ全体のシステムをコントロールするシステムコントローラ、１５はカメラ一体型ＶＴＲ全体の電源を供給するバッテリー、１６はカメラ部、レコーダ部、モニター用ディスプレイ９の各部に適した電圧を作り出し、供給する電源回路である。なお、静止画メモリ８に記憶された静止画データは所定のタイミングで磁気テープ７に記録される。
【手続補正２２】
【補正対象書類名】明細書
【補正対象項目名】００２９
【補正方法】変更
【補正の内容】
【００２９】
また、ステップＳ３において静止画データが記憶されていた場合、静止画メモリ８の静止画データは、画像圧縮伸長回路４で伸長され、モニタースイッチ１０で選択されてディスプレイ９に表示される（ステップＳ６）。複数枚の静止画データが記憶されていた場合、ディスプレイ９には順に出力されたり、マルチ画面で表示される。
【手続補正２３】
【補正対象書類名】明細書
【補正対象項目名】００３０
【補正方法】変更
【補正の内容】
【００３０】
また静止画データを磁気テープ７に保存するか消して良いかを使用者に静止画記録選択スイッチ１３で判断させる。記録しない方の指示があった場合（ステップＳ７）、電源ＯＦＦ処理（ステップＳ４）に移行する。静止画データを記録する方の指示があった場合（ステップＳ７）、静止画メモリ８の静止画データは記録再生処理回路５を経由して回転ドラム６で磁気テープ７に記録される（ステップＳ８）。記録が終了すれば電源ＯＦＦ処理（ステップＳ４）に移行し、電源が切れる（ステップＳ５）。
【手続補正２４】
【補正対象書類名】明細書
【補正対象項目名】００３１
【補正方法】変更
【補正の内容】
【００３１】
このように本実施例では、動画データを記録媒体としての磁気テープ７に記録し、静止画データを一時的に静止画メモリ８に記憶しておき、静止画メモリ８の静止画データを所定のタイミングで磁気テープ７に記録し、静止画メモリ８に静止画データが記憶されているときに電源をＯＦＦする指示があった場合、前記静止画データを磁気テープ７に記録してから電源をＯＦＦする動作に入るか記録しないかを選択可能としたので、簡単な構成で動画記録中等に電源を落とす操作をしても静止画メモリに記憶された静止画データをユーザが確認することなく消滅させてしまうことはなくなる。
【手続補正２５】
【補正対象書類名】明細書
【補正対象項目名】００３６
【補正方法】変更
【補正の内容】
【００３６】
次に静止画メモリ８の静止画データが記録再生処理回路５から回転ドラム６で磁気テープ７に記録される（ステップＳ１７）。記録が終了すれば電源ＯＦＦ処理（ステップＳ１４）に移行し、記録系としてのレコーダ部の電源をＯＦＦし、電源が切れる（ステップＳ１５）。
【手続補正２６】
【補正対象書類名】明細書
【補正対象項目名】００３７
【補正方法】変更
【補正の内容】
【００３７】
このように本実施例では、静止画メモリ８に静止画データが記憶されているときにバッテリー１５の容量（残量）が少なくなった場合、モニター用ディスプレイ９とＣＣＤ撮像素子２を含むカメラ信号系の電源をＯＦＦし、前記静止画データを磁気テープ７に記録してから記録系の電源をＯＦＦする動作に入るようにしたので、簡単な構成で静止画データを消滅させてしまうことはなくなる。
【手続補正２７】
【補正対象書類名】明細書
【補正対象項目名】００４０
【補正方法】変更
【補正の内容】
【００４０】
【発明の効果】
以上説明したように、本発明によれば、簡単な構成で静止画データを記録媒体に記録する前に、電源を落とす操作やバッテリーが少なくなって電源が落ちることによって記憶手段に一時的に記憶した静止画データを消滅させてしまうことがなくなるという効果がある。
【手続補正２８】
【補正対象書類名】図面
【補正対象項目名】図２
【補正方法】変更
【補正の内容】
【図２】
2000350157.tif 000001
【手続補正２９】
【補正対象書類名】図面
【補正対象項目名】図３
【補正方法】変更
【補正の内容】
【図３】
2000350157.tif 000002